(57)【要約】      （修正有）【課題】モニタを支持することに用い、モニタを卓上配置及び壁掛けに同時に適用可能にするモニタ基台構造を提供する。【解決手段】本モニタ基台構造は、後殻１３と、固定部材と、滑動部材１５と、少なくとも１つのバネと、プッシュロッド１４と、第１脚構造１１と、第２脚構造１２と、を含む。固定部材は、後殻上に固定設置され、且つスライドレールを含む。滑動部材は、スライドレールにより往復移動する。バネの両端は、それぞれ固定部材及び滑動部材と相互に接続する。プッシュロッドの一端は、滑動部材に軸回転可能に接合する。第１脚構造は、後殻上に固定設置される。第２脚構造の一端は、第１脚構造上に軸回転可能に接合し、プッシュロッドの他端は、第２脚構造の他端に軸回転可能に接合する。これにより、モニタ１は、第２脚構造の挟み角を調整することにより、卓上配置又は壁掛けを調整することができる。【選択図】図２
0003156995.tif 000002
【実用新案登録請求の範囲】
【請求項１】
モニタを支持することに用い、前記モニタを卓上配置及び壁掛けに同時に適用可能にするモニタ基台構造であって、前記モニタ基台構造は、
後殻と、
前記後殻上に固定され、少なくとも１つの第１接続部及び少なくとも１つのスライドレールを含む固定部材と、
前記スライドレールによって往復移動することができ、少なくとも１つの第２接続部を含む滑動部材と、
両端がそれぞれ前記第１接続部及び第２接続部と相互に接続する少なくとも１つのバネと、
一端が前記滑動部材に軸回転可能に接続し、且つ前記滑動部材に伴って前記後殻上で往復移動できるプッシュロッドと、
前記後殻の上に固定設置される第１脚構造と、
一端が前記第１脚構造上に軸回転可能に接続され、他端が前記プッシュロッドの他端に軸回転可能に接続され、さらに、少なくとも１つのフック溝を設ける第２脚構造と、
を含み、前記滑動部材が往復移動する時、前記バネを引き伸ばし、前記第１脚構造及び前記第２脚構造の挟み角を変化させ、卓上配置又は壁掛けを調整することに用いるモニタ基台構造。
【請求項２】
前記滑動部材上に前記滑動部材を固定することに用いる固定螺子を更に含み、前記滑動部材に滑動を停止させ、前記固定螺子が内螺子山によって前記滑動部材の螺子山部と結合し、前記固定螺子を回転する時、前記固定螺子及び前記後殻間の摩擦力を増加又は減少することができる請求項１記載のモニタ基台構造。
【請求項３】
前記滑動部材上に前記滑動部材を固定することに用いる嵌合機構を更に含み、前記嵌合機構の外側及び前記後殻の相互に隣接する箇所に少なくとも１つの嵌合凸部を設置し、前記後殻の前記嵌合凸部と相対する箇所に少なくとも１つの凹溝を設け、前記嵌合凸部が前記凹溝に嵌合する時、前記滑動部材に滑動を停止させることができ、前記嵌合機構上に更に少なくとも１つのつまみ部を設置し、前記つまみ部は、前記嵌合凸部と相対して接続し、前記つまみ部を圧迫する時、前記嵌合凸部を前記凹溝から離脱させることができる請求項１記載のモニタ基台構造。
【考案の詳細な説明】
【技術分野】
【０００１】
本考案は、モニタ基台構造に関し、特に、脚構造を調整することによって、モニタを卓上配置及び壁掛けに使用可能にするモニタ基台構造に関する。
【背景技術】
【０００２】
近年、フラットモニタの製造コストの顕著な低減によって、フラットモニタは、既に家庭用テレビ及びコンピュータ用のスクリーンの主流となっている。また、フラットモニタは、従来の陰極射線管を使用したテレビに比べて軽く、薄いので、駅、病院、コンビニ又は映画館等の公共の場所で、益々多く見かけることができるようになっており、情報の表示に用いることができるだけでなく、広告の目的に用いることもでき、商業上の応用は、益々広がっていると言える。
【０００３】
従来のフラットディスプレイは、該フラットディスプレイを支持し、該フラットディスプレイを卓上に安定して置くことができるようにすることに用いる基台を設計している。しかしながら、家庭での使用、オフィスでの使用以外に、多くの公共の場所において必要とされるのは、壁掛け式のフラットモニタである。このため、該フラットモニタが使用する壁掛け構造を別途購入し、元の基台を放棄する必要がある。このように、基台の浪費を招くだけでなく、別途壁掛け構造を購入する必要があり、基台及び壁掛け構造の分解組み立て時間を浪費し、理想的でない。
【０００４】
従って、従来の不便を如何に改善し、フラットディスプレイの基台及び壁掛けの機構を結合させ、資源の浪費を減少し、該壁掛け構造を別途購入し、分解組み立てする時間及び金銭を省くかは、当業者の課題である。
【考案の開示】
【考案が解決しようとする課題】
【０００５】
本考案の目的は、フラットモニタの基台及び壁掛けの機能を結合し、資源の浪費を減少し、該壁掛け構造を別途購入、分解組み立てする時間及び金銭を省くことにある。
【課題を解決するための手段】
【０００６】
上記目的を達成する為、本考案は、モニタを支持し、該モニタを卓上配置及び壁掛けに同時に適用可能にすることに用いるモニタ基台構造を提供する。該フラットモニタ構造は、後殻と、固定部材と、滑動部材と、少なくとも１つのバネと、プッシュロッドと、第１脚構造と、第２脚構造と、を含む。そのうち、該固定部材は、該後殻上に固定設置され、且つ該固定部材は、少なくとも１つの接続部材と、少なくとも１つのスライドレールと、を含む。該滑動部材は、該スライドレールにより往復移動することができ、該滑動部材は、少なくとも１つの第２接続部を含む。該バネの両端は、それぞれ該第１接続部及び第２接続部と相互に接続する。該プッシュロッドの一端は、該滑動部材に軸回転可能に接合し、且つ該滑動部材に伴って該後殻上で往復移動することができる。該第１脚構造は、該後殻上に固定設置され、該第２脚構造の一端は、該第１脚構造上に軸回転可能に接合し、該プッシュロッドの他端は、該第２脚構造の他端に軸回転可能に接合する。該第２脚構造上に更に、少なくとも１つのフック溝を設置する。これにより、該滑動部材が往復上下移動する時、該バネを引き伸ばし、該第１脚構造及び該第２脚構造の挟み角を変化させ、卓上配置又は壁掛けを調整することができる。
【０００７】
上記モニタ基台構造は、そのうち、該スライドレール及び該滑動部材が接触する箇所に潤滑膜層を設置し、該潤滑膜層の材質は、テフロン、不織布又は耐摩擦低摩擦係数の製品である。
【０００８】
上記モニタ基台構造は、そのうち、該滑動部材上に該滑動部材を固定することに用いる固定螺子を更に含み、該滑動部材に滑動を停止させる。該固定螺子は、内螺子山と該滑動部材の螺子山部と結合し、該固定螺子を回転する時、該固定螺子と該後殻との間の摩擦力を増加又は減少することができる。
【０００９】
上記モニタ基台構造は、そのうち、該滑動部材上に該滑動部材を固定することに用いる嵌合機構を含み、該滑動部材に滑動を停止させる。該嵌合機構の外側及び該後殻の相互に隣接する箇所に少なくとも１つの嵌合凸部及び少なくとも１つのつまみ部を設け、該後殻の該嵌合凸部と相対する箇所に少なくとも１つの凹溝を有し、該嵌合凸部が該凹溝に嵌合する時、該滑動部材に滑動を停止させることができる。該つまみ部は、該嵌合凸部と相対して接続し、該つまみ部を圧迫する時、該嵌合凸部に該凹溝から脱離させることができる。
【００１０】
上記モニタ基台構造は、そのうち、第１脚構造内に複数の回路導線を含み、該回路導線が該第１脚構造の前後両側を貫通し、且つ該第１脚構造の前後両側は、複数の雌コネクタを対応して設置する。
【００１１】
上記モニタ基台構造は、そのうち、該固定部材が螺子を介して該後殻にしっかりと固定される。
【００１２】
上記モニタ基台構造は、そのうち、該第１接続部又は該第２接続部がフック状を呈し、該バネの端部を該第１接続部又は該第２接続部にフックさせる。
【００１３】
上記モニタ基台構造は、そのうち、該バネと、第１接続部と、第２接続部の数量は、何れも２つであり、且つバネの両端は、それぞれ第１接続部及び第２接続部と相互に接続する。
【００１４】
上記モニタ基台構造は、そのうち、該第１脚構造及び該後殻が一体に成型した構造である。該第１脚構造内に複数の回路導線を更に設け、該第１脚構造の後側に複数の雌コネクタを相対して設置する。該回路導線は、該第１脚構造内部に設けられ、外部に露出しない。
【考案の効果】
【００１５】
このように、本考案のモニタ基台構造は、従来の不便を改善することができ、フラットモニタの基台及び壁掛けの機能を結合させ、資源の浪費を減少し、別途、該壁掛け構造を購入、分解組み立てする時間及び金銭を省略することができるので、極めて大きな実用価値を有する。
【図面の簡単な説明】
【００１６】
【図１Ａ】本考案を応用したモニタの卓上使用時の説明図である。
【図１Ｂ】本考案を応用したモニタの第２脚構造の調整の説明図である。
【図１Ｃ】本考案を応用したモニタの卓上使用時の内部説明図である。
【図１Ｄ】本考案を応用したモニタの第２脚構造を調整時の内部説明図である。
【図２】本考案のモニタを壁掛けに応用する時の説明図である。
【図３】図１Ｄ中のＢ−Ｂ断面図である。
【図４】嵌合機構及び後殻の説明図である。
【図５】後殻及び第１脚構造の他の実施例の説明図である。
【考案を実施するための形態】
【００１７】
当業者に本考案の目的、特徴及び効果を理解させる為、以下に具体的実施例を挙げ、図面に併せて、本考案を詳細に説明する。
【００１８】
図１Ａは、本考案を応用したモニタの卓上使用時の説明図である。図１Ａに示すように、該モニタ１は、卓上に置かれ、該モニタ１の後殻１３上に、プッシュロッド１４と、第１脚構造１１と、第２脚構造１２と、滑動部材１５と、固定螺子１５１と、を含む。そのうち、該滑動部材１５は、該後殻１３上で往復上下移動することができる。該プッシュロッド１４の最上端は、該滑動部材１５に軸回転可能に接続し、該滑動部材１５の上下移動に伴って、移動することができる。該第１脚構造１１は、該後殻１３上に固定設置される。該第２脚構造１２の最左端は、該第１脚構造１１上に軸回転可能に接続する。該プッシュロッド１４の最下短は、該第２脚構造１２の中間の箇所に軸回転可能に接続する。該第１脚構造１１内に複数の回路導線１１１を更に設置し、且つ該第１脚構造１１の後側に複数の雌コネクタ１１２を相対して設置し、該雌コネクタ１１２は、信号ケーブル又は電源ケーブルを接続することに用いる。図に示すように、本実施例中、該後殻１３及び該第１脚構造１１は、一体に成型する構造であり、該回路導線１１１は、該第１脚構造１１内部に設置され、外部に露出しない。且つ該雌コネクタ１１２は、該第１脚構造の後側に設置されるので、コンピュータの信号ケーブル又は電源ケーブルは、机を通過して該第１脚構造１１後側の雌コネクタ１１２に接続することができる。このように、使用者が卓上から乱雑な信号ケーブル及び電源ケーブルを見えなくすることができる。
【００１９】
続いて、図１Ｂは、本考案のモニタの第２脚構造を調整する説明図である。図１Ａ及び図２Ｂを同時に参照し、該コネクタ１を壁掛けに適用させる為、該滑動部材１５を上向きに移動することができ、この時、該第２脚構造１２が逆時計に振動するので、該第２脚構造１２及び該第１脚構造１１の挟み角が大きくなり、該モニタ１は、壁掛けに用いることができる。該モニタ１は、壁に掛けた状況は、図２に示すようである。図２において、該モニタ１は、該第２脚構造１２上のフック溝１２１を使用し、壁上のフック６２１にフックする。また、該第１脚構造１１後側の信号ケーブル及び電源ケーブルは、直接壁内に進入することができるので、使用者は、モニタ１前方から乱雑な信号ケーブル及び電源ケーブルが見えなくなる。従って、本考案のモニタ基台構造は、該モニタ１を支持することに用いることができる以外に、更に、該モニタ１を卓上配置及び壁掛けに同時に適用させることができ、従来のように壁掛けに交換する必要がない。
【００２０】
更に、該滑動部材１５の上下移動を容易に制御する為、依然として該モニタ１内部に相対する制御構造を設計する必要がある。図１Ｃは、本考案を応用したモニタの卓上使用時の内部説明図である。図１Ａ及び図１Ｃを参照し、該モニタ１を卓上配置する時、該滑動部材１５は、該モニタ１の下半部に配置され、この時、該モニタ１の内部構造は、図１Ｃのようである。そのうち、該モニタ１の後殻１３内部は、さらに固定部材１６及びバネ１７を設置する。該固定部材１６は、複数の螺子１６１を利用し、該固定部材１６の角を該後殻１３上にしっかりと固定する。該固定部材１６は、２つのスライドレール１６３及び２つのフック状の第１接続部１６２を含む。該滑動部材１５は、該固定部材１６に緊密に隣接して設置され、該プッシュロッド１４及び該滑動部材１５は、２つのスライドレール１６３によって往復上下移動することができる。該滑動部材１５は、更に２つのフック状を呈する第２接続部１５３を含む。該バネ１７の両端は、それぞれフック状を呈する第１接続部１６２及び第２接続部１５３にフックし、バネ１７の両端がそれぞれ第１接続部１６２及び第２接続部１５３と相互に接続する。これにより、使用者は、該モニタ１を持ち上げる時、該２つのバネ１７の弾力を利用し、該第１接続部１６２は、該第２接続部１５３と相互に接近し、該滑動部材１５は、該バネ１７の下向きに引く力を受け、該プッシュロッド１４を該モニタ１の下半部に移動させ、該第１脚構造１１及び該第２脚構造１２の挟み角を最小に変化させるので、該モニタ１が卓上配置に用いることができる。
【００２１】
続いて、図１Ｄは、本考案を応用したモニタの第２脚構造を調整する時の内部説明図である。図１Ｃ及び図１Ｄを同時に参照し、使用者が該滑動部材１５を上向きに移動する時、該活動部材１５は、該第２接続部１５３を連動して該２つのバネ１７を引き伸ばす。この時、図１Ｂ及び図２に示すように、該プッシュロッド１４は、該モニタ１の上半部に位置し、且つ該第２脚構造１２及び該第１脚構造１１の挟み角が最大まで開き、該モニタ１を壁掛けに使用可能にする。これにより、本考案は、該活動部材１５を利用し、該モニタ１上下方向に往復移動し、該プッシュロッド１４の上下移動距離の最大化を達成し、該第２脚構造１２の開く角度を大幅に変化させるので、該モニタ１が卓上配置又は壁掛けに調整することに用いることができる。また、本考案の固定部材１６と、滑動材１５と、バネ１７が何れも平坦化した構造であるので、空間を占有せず、モニタ１の薄型化の要求を満足することができる。
【００２２】
また、該滑動部材１５の該スライドレール１６３間の移動は、摩擦力を有するものであり、これが滑動を円滑でなくする。該滑動部材１５の該スライドレール１６３内の上下移動を円滑で、障害がないものにする為、当業者は、２つのスライドレール１６３及び該滑動部材１５が接触する箇所に２つの潤滑膜層１６４を設置することができ、該潤滑膜層１６４の材質は、テフロン、不織布又は耐摩擦低摩擦係数製品であることができる。このように、滑動部材１５及びスライドレール１６３間の摩擦力を低減し、使用者に該滑動部材１５の上下移動を軽やかに調整させる。
【００２３】
また、該第２脚構造１２の開いた角度の固定を強化する為、該滑動部材１５上に固定する装置を設置することができる。図３は、図１Ｄ中のＢ−Ｂ断面図である。図３に示すように、該滑動部材１５上に固定螺子１５１を更に設置する。該固定螺子１５１は、内螺子山１５１１で該滑動部材１５の螺子山部１５２と結合する。該固定螺子１５１を回転する時、該固定螺子１５１及び該後殻１３間の摩擦力を増加又は減少させることができ、該滑動部材１５を固定することに用い、該滑動部材１５に該後殻１３の上下滑動を停止させる。
【００２４】
当然、当業者は、図３の固定螺子１５１を嵌合機構に変更することができる。図４は、嵌合機構及び後殻の説明図である。図４に示すように、該滑動部材２５上に嵌合機構９を含み、該嵌合機構９の外側及び該後殻２３の相互に隣接する箇所に２つの嵌合凸部９１を含み、該後殻２３の該嵌合凸部９１と相対する箇所に２つの凹溝２３１を設置する。該嵌合凸部９１上に更に、２つのつまみ部９２を設置し、該つまみ部９２及び該嵌合凸部９１が相互に対応して接続する。該嵌合凸部９１は、該凹溝２３１に嵌合する時、該滑動部材２５に滑動を停止させることができ、使用者が手で該つまみ部９２を圧迫する時、該嵌合凸部９１を該凹溝２３１から離脱させることができる。これにより、該嵌合機構９は、該滑動部材２５を固定する又は緩めることに用いることができ、図２のモニタ１に該第２脚構造１２の開く幅を調整させることができる。
【００２５】
最後に、他の実施例を紹介する。図５は、後殻及び第１脚構造の他の実施例である。図５に示すように、該モニタ３の該第１脚構造３１内に複数の回路導線３１１を設置し、該回路導線３１１が該第１脚構造３１の前後両側を通過し、且つ該第１脚構造３１の前後両側に複数の雌コネクタ３１２を相対して設置する。これにより、本実施例は、上記の機能を達成することができる。
【００２６】
上記のように、本考案のモニタ基台構造は、従来の不便を改善することができ、フラットモニタの基台及び壁掛けの機能を結合させ、資源の浪費を減少し、別途、該壁掛け構造を購入、分解組み立てする時間及び金銭を省略することができるので、極めて大きな実用価値を有する。
【００２７】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００２８】
１        モニタ
１１      第１脚構造
１１１    回路導線
１１２    雌コネクタ
１２      第２脚構造
１２１    フック溝
１３      後殻
１４      プッシュロッド
１５      滑動部材
１５１    固定螺子
１５１１  内螺子山
１５２    螺子山部
１５３    第２接続部
１６      固定部材
１６１    螺子
１６２    第１接続部
１６３    スライドレール
１６４    潤滑膜層
１７      バネ
２３      後殻
２３１    凹溝
２５      滑動部材
３        モニタ
３１      第１脚構造
３１１    回路導線
３１２    雌コネクタ
６２１    フック
９        嵌合機構
９１      嵌合凸部
９２      つまみ部
【図１Ａ】
0003156995.tif 000003
【図１Ｂ】
0003156995.tif 000004
【図１Ｃ】
0003156995.tif 000005
【図１Ｄ】
0003156995.tif 000006
【図２】
0003156995.tif 000007
【図３】
0003156995.tif 000008
【図４】
0003156995.tif 000009
【図５】
0003156995.tif 000010